(57)【特許請求の範囲】
【請求項１】
壁紙を澱粉系接着剤で内装壁面に貼着するに際して、予め、紙又は布帛を主体として製作された前記澱粉系接着剤と馴染みのよい下貼り紙を、水性合成樹脂系接着剤５０重量％と澱粉系接着剤５０重量％との混合物を塗布して前記内装壁面の全面又は一部に貼着することを特徴とする壁紙施工法。
【請求項２】
請求項１に記載された壁紙施工法において、
前記下貼り紙の前記内装壁面への貼着に際して、前記内装壁面の状態に応じてサンダー処理、シーラー処理、プライマー処理、又は捨て糊処理の何れか１つ以上の処理を該内装壁面に予め施すことを特徴とする壁紙施工法。
【発明の詳細な説明】
【０００１】
【発明の属する技術分野】
本発明は、例えばリフォームの内装施工する際の壁紙施工法に関するものである。
【０００２】
【従来の技術】
従来より、じゅらく壁・繊維壁などの和壁、水性ペンキ・油性ペンキ等のペンキ面、プリント合板・デコラ板等の新建材、或いはビニル壁紙等の既存の壁装上へ壁紙を上貼りする要望は強かった。
【０００３】
従来は前述の壁装の上に新たに石膏ボードやベニヤ板等の壁紙下地材料を貼付けた後、壁紙を施工した。しかしながら、この場合、大工業者等を別に手配しなくてはならないこと、また下地材料の価格が高いことから、工期とコストがかかっていた。更に、壁紙施工業者にとっても新たに下地補修をしなくてはならなかった。
【０００４】
下地材料を新規に貼らずに壁紙施工業者が直接下地処理をし、壁紙を施工する場合もあった。この場合は、予め下地について、吸水性の有無、強度、壁紙施工用接着剤との接着性、不陸調整を現場で判断し壁紙を施工した。
【０００５】
ところが、前述の壁紙の施工方法では、シーラー、捨て糊、パテ処理といった工程に手間がかかり、施工業者は敬遠しがちであった。また、全面パテ処理は幾ら精巧に仕上げても多少の不陸が発生するために、薄手の壁紙や間接照明等によっては表面にパテ跡が出てしまうことがあった。
【０００６】
また、シーラー、捨て糊、全面パテ処理を施すことにより、既存の壁装に重量がかかり、脆弱な下地では下地ごと剥離する危険性もあった。更に、シーラー、捨て糊、全面パテ処理等の下地調整を施した場合、壁紙施工時に接着力を高める必要から合成樹脂エマルジョンを１０％〜４０％程度壁紙施工用澱粉系接着剤に混合しなくてはいけなかった。
【０００７】
【発明が解決しようとする課題】
しかしながら、リフォームの内装施工の場合には、下地となる内装壁面の状態及び材質で種々の問題が生じていた。
【０００８】
例えば、プリント合板等の非吸水性の下地上に澱粉系接着剤による壁紙の貼着は不可能であった。このため、壁紙の貼着は合成樹脂系接着剤を主体とした接着剤で貼着する必要があり、その前処理として、プリント合板等の表層面をサンダー処理を行って合成樹脂系接着剤を主体とした接着剤を塗布する捨て糊処理を行う必要があった。
【０００９】
また、吸水性の下地であっても、じゅらく壁などのように脆弱な下地や、吸音テックス等のような不陸部が存在する下地の場合には、下地強化としてのシーラー処理を行った後に、表面を平滑にするパテ処理を行う必要があった。
【００１０】
更に、水性ペンキを塗布したような吸水性があって表面が平滑であるが表面が脆弱な下地では、吸水性の調整、下地強化としてのシーラー処理を行った後に、合成樹脂系接着剤を主体とした接着剤を塗布する捨て糊処理を行う必要があった。
【００１１】
また、作業者は、前述の種々の前処理に引き続いて、最終的に壁紙を貼着して仕上げ施工を行う。この仕上げ施工の際に、多くの作業者が習熟した作業は、澱粉系接着剤を用いた作業である。仕上げ施工は隣接する壁紙を隙間なく貼着し、しかもそれらの模様を合わせるなど高度な作業を必要とする。この作業を行うために、乾燥していない状態では何度も貼り替え可能という特異な初期接着性能及び長い貼り付け可能時間を有する澱粉系接着剤で多くの作業者が習熟している。
【００１２】
前述の種々の前処理に引き続く仕上げ施工には、何度も貼り替え可能な初期接着性能及び長い貼り付け可能時間を有する澱粉系接着剤を用いることはできず、澱粉系接着剤に多量の合成樹脂系接着剤を混合して接着力を高めたものを用いて仕上げ施工を行わざるを得なかった。
【００１３】
本発明は、リフォームの内装施工の場合でも、新たな下地壁を施工することなく、リフォーム前の既存の下地壁上に澱粉系接着剤による壁紙の貼着を行うことのできる壁紙施工法を得ることを目的とする。
【００１４】
より詳しくは、脆弱で吸水性の下地であっても、不陸部が存在する下地であっても、更に、吸水性があって表面が平滑であるが表面が脆弱な下地であっても、新たな下地壁を施工することなく、リフォーム前の既存の下地壁上に澱粉系接着剤による壁紙の貼着を行うことのできる壁紙施工法を得ることを目的とする。
【００１５】
【課題を解決するための手段】
請求項１に記載された発明に係る壁紙施工法は、壁紙を澱粉系接着剤で内装壁面に貼着するに際して、予め、紙又は布帛を主体として製作された前記澱粉系接着剤と馴染みのよい下貼り紙を水性合成樹脂系接着剤５０重量％と澱粉系接着剤５０重量％との混合物を塗布して前記内装壁面の全面又は一部に貼着することを特徴とするものである。
【００１７】
請求項２に記載された発明に係る壁紙施工法は、請求項１に記載された壁紙施工法において、
前記下貼り紙の前記内装壁面への貼着に際して、前記内装壁面の状態に応じて、サンダー処理、シーラー処理、プライマー処理、又は捨て糊処理の何れか１つ以上の処理を該内装壁面に予め施すことを特徴とするものである。
【００２０】
【発明の実施の形態】
本発明においては、壁紙を澱粉系接着剤で既存の内装壁面に貼着するに際して、この澱粉系接着剤と馴染みのよい下貼り紙を内装壁面に予め貼着することにより、リフォームの内装施工の場合でも、新たな下地壁を施工することなく、リフォーム前の既存の内装壁面上に澱粉系接着剤による壁紙の貼着を行うことができる。これにより、澱粉系接着剤の独特な初期接着性能及び長い貼り付け可能時間に習熟していた作業者は何の違和感なく作業することができる。
【００２１】
本発明で用いる澱粉系接着剤としては、澱粉を主成分とした内装施工業者が主に使用している澱粉系接着剤を指す。更には、澱粉のみで構成された澱粉糊を始めとして、必要に応じて増量剤、安定剤、防腐剤、防かび剤などを配合した日本工業規格で規定された壁紙施工用澱粉系接着剤（ＪＩＳ  Ａ６９２２）を指す。
【００２２】
本発明で用いる下貼り紙としては、澱粉系接着剤と馴染みのよい表装を有するものであればよい。例えば、紙又は布帛を主体として作製された下貼り紙を用いる。
【００２３】
本発明の下貼り紙は、例えばリフォームの内装施工の際に、下地となるじゅらく壁・繊維壁などの和壁、水性ペンキ・油性ペンキ等のペンキ面、プリント合板・デコラ板等の新建材、或いはビニル壁紙等の既存の内装壁面上へ壁紙を貼着する際に有効となる。
【００２４】
具体的には、従来の既存の内装壁面のうち、プリント合板等の非吸水性の下地では、澱粉系接着剤による壁紙の貼着は不可能であった。本発明では、この非吸水性の内装壁面を下地として、その上に下貼り紙を貼着した後、壁紙を貼着する。その前処理としては、多くの場合、プリント合板等の表層面をサンダー処理を行って下貼り紙の貼着を確実なものとする。
【００２５】
また、従来の既存の内装壁面のうち、じゅらく壁などのように脆弱な下地や、吸音テックス等のような不陸部が存在する下地を内装壁面の下地とする場合には、その前処理として、多くの場合、下地強化としてのシーラー処理を行って下貼り紙の貼着を確実なものとする。
【００２６】
更に、水性ペンキを塗布したような吸水性があって表面が平滑であるが表面が脆弱な下地を既存の内装壁面の下地とする場合には、その前処理として、多くの場合、サンダー処理を行い、吸水性の調整及び下地強化としてのシーラー処理を行って下貼り紙の貼着を確実なものとする。
【００２７】
本発明の下貼り紙は、前述の種々の下地に貼着されるが、貼着に用いる下貼り紙用接着剤は、下地に応じて選択可能である。しかしながら、水性合成樹脂系接着剤と澱粉系接着剤との混合物を用いることにより、適度な貼付け可能時間を有し、耐水性能を保持することができる。
【００２８】
本発明で用いる水性合成樹脂系接着剤としては、澱粉系接着剤と混合可能な水性合成樹脂系接着剤が選ばれる。例えば、酢ビ−アクリル共重合型接着剤、エチレン−酢ビ共重合型接着剤、ＳＢＲラテックス型接着剤、水性系ウレタン型接着剤、水性系エポキシ型接着剤、（オール）アクリル型接着剤等が挙げられる。
【００２９】
特に、酢ビ−アクリル共重合型接着剤と澱粉系接着剤との混合比が、（７０重量％未満３０重量％越え）：（３０重量％越え７０重量％未満）、更に好ましくは、酢ビ−アクリル共重合型接着剤５０重量％と澱粉糊５０重量％との混合物では、酢ビ−アクリル共重合型接着剤と同等な耐水性能と、澱粉系接着剤と同等な貼付可能時間とを有する。
【００３０】
また、下貼り紙用接着剤による下貼り紙の貼着作業は、通常の壁紙貼着作業と同等に、壁紙糊付機によって貼着面に下貼り紙用接着剤を塗布することが可能である。
【００３１】
【実施例】
実施例１．下貼り紙用接着剤の選定
壁紙を施工する際、壁紙用接着剤の水分の移行に抵抗すべく耐水強度が必要である。次の表１は各々の接着剤の皮膜を作製し、水滴により皮膜が白化するまでの時間と、下貼り紙を貼り付け乾燥後に水１５０ｇ／ｍ３  滴下させたときの溶解性から耐水性能を表したものである。
【００３２】
【表１】
0003560018.tif 000002
【００３３】
下貼り紙を施工する際、プリント合板や油性ペンキ等の既存の壁装材料に吸水性が乏しい状況も想定されることから、迅速に下貼り紙を乾燥させるために、下貼り紙の通気性を挙げた方が効果的だと考えられた。一方、澱粉系の澱粉系接着剤と比較して、合成樹脂系接着剤は接着力は強いが保水性能に劣り、下貼り紙に糊付け後、短時間でお互いの材料同士が接着し破壊するアイハギ減少が発生する可能性が高い。表２は各々の接着剤を下貼り紙に塗布し、貼付可能時間を測定したものである。
【００３４】
【表２】
0003560018.tif 000003
【００３５】
表１及び表２の結果から、貼付け可能時間が適当にとれ、耐水性能が保持可能な下塗り紙用接着剤としては、合成樹脂−澱粉系接着剤が好ましいことが判った。即ち、合成樹脂分が３０％を越え、７０％未満のもの、より好ましくは合成樹脂分が５０％のものが良好であることが判った。
【００３６】
また、下貼り紙を事前に貼り、その後壁紙を施工した場合、合成樹脂系接着剤を捨て糊乾燥した場合と比較して、上貼りの壁紙の目透き量が少なくなることが確認された。次の表３は各々の壁紙施工方法により目透き量を測定したものである。
【００３７】
【表３】
0003560018.tif 000004
【００３８】
下貼り紙を施工した場合、仕上げ時の壁紙施工用接着剤に合成樹脂を混入し、補強する必要がなく施工能率が上がる。また、目透き量が少ないことは、下貼り紙表面が繊維状態のため、仕上げ時の壁紙の繊維と絡まりやすくなっていることに起因しているものと推定され、一方、捨て糊皮膜にはそのような効果がないと考えられる。
【００３９】
実施例２．従来工法との比較
リフォーム下地として、プリント合板、じゅらく壁、水性ペンキ、吸音テックスの４種を用いた。これら４種の下地に対して、下貼り紙を貼着する下貼り紙施工法（本発明工法）と従来施工法とを比較した。
【００４０】
用いた表装材としては、綿布と壁紙との２種を用いた。各々の工法及び表装材について、接着力を計測した。また、計測に際して、破断した面について、Ａ（壁紙又は綿布の材料破壊）、Ｂ（壁紙又は綿布の材料と下貼り紙の界面剥離）、Ｃ（下貼り紙の材料破壊）、Ｄ（リフォーム下地材料破壊）のどの箇所で破断が生じているかを検証した。更に、目透き量（ｍｍ）、不陸の発現の有無を検証した。結果を次の表４に示した。
【００４１】
表４に示す通り、本発明の下貼り紙施工法は、捨て糊や総パテをする必要がなく工程も省け、施工後の目透き量も少なくなっている。また、捨て糊皮膜と比較して適度な吸水性能を有することから、壁紙施工時のフクレを発生し難く、柄合わせも容易であった。
【００４２】
また、接着力についても、安定な接着力が得られ、破断面を参照しても、Ａ（壁紙又は綿布の材料破壊）と、Ｃ（下貼り紙の材料破壊）とが破壊されており、Ｄ（リフォーム下地材料破壊）に至る破壊はない。従って、再度のリフォーム等のように、本発明で貼着した綿布及び壁紙の剥離に際しても下地材料を破壊することがなく、再度のリフォーム施工が良好に行えることができる。
【００４３】
【表４】
0003560018.tif 000005
【００４４】
下貼り紙を用いた本発明の壁紙施工法の効果として、次のことが確認された。（１）  下貼り紙を使用することにより、パテ作業や捨て糊工程が不要となり、従来の壁紙施工と同様に糊付機械が使用でき、作業工程と施工具の省力化が達成できる。同時に壁紙施工時には、柄合せがしやすく、フクレの発生もないことから施工能率が向上する。
（２）  既存の壁装材料、仕上げ壁紙材料との接着性に優れ、最終的な仕上げ後、壁紙の目透きや剥離を防ぐことが可能となる。
（３）  直貼りと違い中間に下貼り紙層があることから、壁紙の風合いが美しく仕上がる。
【００４５】
【発明の効果】
本発明は以上説明した通り、リフォームの内装施工の場合でも、新たな下地壁を施工することなく、リフォーム前の既存の下地壁上に澱粉系接着剤による壁紙の貼着を行うことのできる壁紙施工法を得ることができるという効果がある。